(57)【特許請求の範囲】
【請求項１】
一対の透明電極間への選択的な電圧印加により透過状態と不透過状態とが切り換わる表示部を有する液晶セルと、前記液晶セルを照明する光源と、前記光源と前記液晶セルとの間に配置され前記液晶セルを透過して前方側より入射する入射光を前記液晶セル側に反射すると共に前記光源からのバックライト光を前記液晶セル側に透過する透過型反射板とを備えた表示装置において、
前記液晶セルは、枡目の大きさによって開口率が変わる階調領域を有するセグメント表示層を備え、
前記セグメント表示層は、前記階調領域の端部を囲う前記開口率が０％の縁部を有し、
前記階調領域は、中心から前記縁部に向かって前記開口率が下がることを特徴とする表示装置。
【請求項２】
前記階調領域は、複数の枡目が並列された階調部を複数有し、隣り合う前記階調部の前記開口率の差が２０％以内であることを特徴とする請求項１記載の表示装置。
【請求項３】
前記枡目は、各階調部内に同数配置されていることを特徴とする請求項１記載の表示装置。
【請求項４】
前記階調部は、前記枡目が1つずつ表示意匠の左右方向にずれていることを特徴とする請求項２記載の表示装置。
【発明の詳細な説明】
【技術分野】
【０００１】
本発明は、例えば車両に搭載される表示装置に関するものである。
【背景技術】
【０００２】
この種の表示装置として、例えば特許文献１に記載されているものが知られている。この表示装置は、所定の表示パターンを有する主セグメント電極の所定方向の側縁に、立体感を演出する副セグメント電極を隣接させることで立体的な見栄えを表示するものである。
【先行技術文献】
【特許文献】
【０００３】
【特許文献１】特開２００１−２０１７５５号公報
【発明の開示】
【発明が解決しようとする課題】
【０００４】
しかしながら、特許文献１の表示装置は、単に副セグメント電極を設けるだけの構造のため、単純形状の単調な立体感しか表示できず、複雑な表示コンテンツを滑らかに表示することができる表示装置が求められていた。
【０００５】
本発明は、この点に鑑みてなされたもので、滑らかな立体感と高いコントラストを維持して視認性のよい表示装置を提供するものである。
【課題を解決するための手段】
【０００６】
本発明は、一対の透明電極間への選択的な電圧印加により透過状態と不透過状態とが切り換わる表示部を有する液晶セルと、前記液晶セルを照明する光源と、前記光源と前記液晶セルとの間に配置され前記液晶セルを透過して前方側より入射する入射光を前記液晶セル側に反射すると共に前記光源からのバックライト光を前記液晶セル側に透過する透過型反射板とを備えた表示装置において、
前記液晶セルは、枡目の大きさによって開口率が変わる階調領域を有するセグメント表示層を備え、前記セグメント表示層は、前記階調領域の端部を囲う前記開口率が０％の縁部を有し、
前記階調領域は、中心から前記縁部に向かって前記開口率が下がることによって、滑らかな立体感と高いコントラストとを維持することが可能となるものである。
【０００８】
また本発明は、前記階調領域は、複数の枡目が並列された階調部を複数有し、隣り合う前記階調部の前記開口率の差が２０％以内であることによって、滑らかな立体感と高いコントラストとを維持することが可能となるものである。
【０００９】
また本発明は、前記枡目は、各階調部内に同数配置されていることによって、滑らかな立体感と高いコントラストとを維持することが可能となるものである。
【００１０】
また本発明は、前記階調部は、前記枡目が1つずつ表示意匠の左右方向にずれていることによって、滑らかな立体感と高いコントラストとを維持することが可能となる物である。
【発明の効果】
【００１１】
本発明によれば、初期の目的を達成でき、滑らかな立体感と高いコントラストを維持して視認性のよい表示装置を提供するものである。
【図面の簡単な説明】
【００１２】
【図１】本発明の実施形態における表示装置の断面図。
【図２】本発明の実施形態における透過型反射板の断面図。
【図３】本発明の実施形態における表示部の正面図。
【図４】本発明の実施形態における表示部の拡大図。
【図５】本発明の実施形態におけるセグメント表示層。
【図６】本発明の第２の実施形態におけるセグメント表示層。
【発明を実施するための形態】
【００１３】
図１に示すように、本実施形態による表示装置は、例えば自動車やオートバイ等の車両に搭載されるもので、回路基板１と、セルケース２と、光源３と、液晶セル４と、透過型反射板５とを備えている。
【００１４】
回路基板１は、例えば周知な硬質回路基板であり、光源３や液晶セル４が電気接続されている。
【００１５】
セルケース２は、例えば乳白色の合成樹脂材料からなり、回路基板１上に配置され、光源３を内部に収納すると共に、液晶セル４を背後から支持する。
【００１６】
光源３は、例えば発光ダイオードからなり、液晶セル４を背後からバックライト照明する。
【００１７】
液晶セル４は、例えばＴＮまたはＳＴＮ型であり、液晶分子を封入した一対のガラス基板４ａ内に形成された一対の透明電極間への選択的な電圧印加により透過状態と不透過状態とが切り換わる表示部４１を有する。
【００１８】
また、図１に示すように、この液晶セル４には、その前面及び背面のそれぞれに前面偏光板４３と裏面偏光板４４とが、ガラス基板を挟んで貼着され、後述する表示部４１と背景部４２とによる表示に必要な偏光をなすようになっている。
【００１９】
また、図３に示すように、表示部４１は不透過状態となった領域でタコメータＴＡ、スピードメータＳＰ、フューエルメータＦＵを表示すると共に、液晶表示部からなる表示部４１周囲の透過状態となった領域にて背景部４２を形成する。
【００２０】
なお本実施形態では、表示部４１は、電圧印加により常時不透過状態となる固定表示部４１ａと、計測対象の変化に応じて透過、不透過状態が切り換わる可変表示部４１ｂとで構成されるが、固定表示部４１ａは印刷等に置き換えても良い。
【００２１】
タコメータＴＡは、指標部と目盛部と数字部とからなる固定表示部４１ａと、エンジン回転数の変化に連動して長さが変化し、所定の固定表示部４１ａ箇所を示すバーグラフからなる可変表示部４１ｂとを備えている。
【００２２】
スピードメータＳＰは、「ｋｍ／ｈ」からなる固定表示部４１ａと、速度に応じた数値を表示する「日」の字セグメントからなる可変表示部４１ｂを備えている。
【００２３】
フューエルメータＦＵは、「Ｆ」，「Ｅ」，給油マークからなる印刷表示部Ｄと、タンク内燃料の変化に連動して長さが変化し、所定の固定表示部４１ａ箇所を示すバーグラフからなる可変表示部４１ｂとを備えている。
【００２４】
透過型反射板５は、図２に示すように、液晶セル４と光源３との間に配置され、基板５１と、半透過反射層５２と、着色層５３とを有している。
【００２５】
基板５１は、例えば透光性合成樹脂からなる無色透明な板材からなり、液晶セル４のサイズに応じた大きさを有している。
【００２６】
半透過反射板５２は、例えばパール顔料を混入した印刷層からなり、基板５１の背面に形成され、光源３からの光を液晶セル４（前方）側に透過すると共に液晶セル４（前方）側から入射した光を液晶セル４（前方）側に反射する光学特性を備えている。なお半透過反射層５２自体の色は例えば乳白色である。
【００２７】
また、半透過反射板５２は、表示部４１の背景部を着色する透過性であって所定の密度によって形成されたドット状の着色層５３を有している。
【００２８】
着色層５３は、例えば透光性を有するインクを用いて所定の密度にて印刷形成されたドット状着色層の集合体からなり、表示部４１の背景部４２を適宜色に着色すると共に図３に示すようにタコメータＴＡ、スピードメータＳＰ、フューエルメータＦＵ単位で背景部４２を複数の領域にエリア分けするものである。
【００２９】
なお、本実施形態では着色層５３を基板５１に形成したが、基板５１とは別の基板を用意し、その表面または背面に形成し、半透過反射板５の前面側に重ねて配置してもよい。
【００３０】
また、液晶セル４にセグメント表示層４１０を設けることによって、タコメータＴＡやフューエルメータＦＵなどのセグメント表示と背景部４２とのコントラストを強調することができる。セグメント表示層４１０は、図５、図６に示すように、枡目４１１ｂの大きさによって開口率が変わる階調領域４１１と、階調領域４１１を囲う開口率が０％の縁部４１２とを有している。
【００３１】
階調領域４１１は、複数の階調部４１１ａが並列された状態で構成されている。各々の階調部４１１ａは、本実施形態では、３つの枡目４１１ｂによって構成され、中心から外周に向かって枡目４１１ｂの開口率が下がるようになっている。
【００３２】
また、各階調部４１１ａは、隣り合う階調部との開口率の差が２０％以内になっている。
こうすることによって、より滑らかな立体感を表示することができる。
【００３３】
また、他の実施例として、図６に示すように、階調部４１１ａの枡目４１１ｂが1つずつ表示意匠の左右方向にずれたものが考えられる。このように、構成することで、より滑らかな立体感を表示することができる。
【００３４】
以上のように、本実施形態では、一対の透明電極間への選択的な電圧印加により透過状態と不透過状態とが切り換わる表示部４１を有する液晶セル４と、液晶セル４を照明する光源３と、光源３と液晶セル４との間に配置され液晶セル４を透過して前方側より入射する入射光を液晶セル側に反射すると共に光源３からのバックライト光を液晶セル側に透過する透過型反射板５とを備えた表示装置において、
液晶セル４は、枡目４１１ｂの大きさによって開口率が変わる階調領域４１１を有するセグメント表示層４１０を備えていることによって、滑らかな立体感と高いコントラストとを維持することができる。
【００３５】
また本実施形態では、セグメント表示層４１０、階調領域４１１を囲う開口率が０％の縁部４１２を有する
【００３６】
また本実施形態では、階調領域４１１は、複数の枡目４１１ｂが並列された階調部４１１ａを複数有し、隣り合う階調部４１１ａの開口率の差が２０％以内であることによって、滑らかな立体感と高いコントラストとを維持することができる。
【００３７】
また本実施形態では、枡目４１１ｂは、階調部４１１ａ内に同一間隔で配置されていることによって、滑らかな立体感と高いコントラストとを維持することができる。
【００３８】
また本実施形態では、階調部４１１ａは、枡目４１１ｂが1つずつ表示意匠の左右方向にずれていることによって、滑らかな立体感と高いコントラストとを維持することができる。
【符号の説明】
【００３９】
１  回路基板
２  セルケース
３  光源
４  液晶セル
４ａ  ガラス基板
５  透過型反射板
４１  表示部
４２  背景部
４１ａ  固定表示部
４１ｂ  可変表示部
４３  前面偏光板
４４  裏面偏光板
５１  基板
５２  半透過反射層（透過型反射板）
５３  着色層
４１０  セグメント表示層
４１１  階調領域
４１１ａ  階調部
４１１ｂ  枡目
４１２  縁部
ＳＰ  スピードメータ
ＴＡ  タコメータ
ＴＲ  トリップメータ
ＦＵ  フューエルメータ
【図１】
0005939428.tif 000002
【図２】
0005939428.tif 000003
【図３】
0005939428.tif 000004
【図４】
0005939428.tif 000005
【図５】
0005939428.tif 000006
【図６】
0005939428.tif 000007